(57)【要約】【課題】面取り処理により発生する不要物を確実に除去可能なガラス基板の端面処理方法等を提供する。【解決手段】ガラス基板２の端面２ａを面取り加工した後に、当該面取り加工されたガラス基板２の端部表面に研磨体２２を接触させ、当該ガラス基板２の端部表面に付着する不要物３１を除去する。【選択図】図１
2014069248.tif 000002
【特許請求の範囲】
【請求項１】
ガラス基板の端面を面取り加工する面取り装置を備えたガラス基板の端面処理装置において、
前記ガラス基板の端面を面取り加工した後、前記面取り加工によって当該ガラス基板の端部表面に付着する不要物を除去する不要物除去装置を具備することを特徴とするガラス基板の端面処理装置。
【請求項２】
前記不要物除去装置は、
周囲に研磨用の部材を有する回転体と、当該回転体を回転駆動する駆動部と、を備え、
前記ガラス基板の端部表面に前記研磨用の部材を接触させることを特徴とする請求項１に記載のガラス基板の端面処理装置。
【請求項３】
ガラス基板の端面を面取り加工した後に、当該面取り加工されたガラス基板の端部表面に研磨体を接触させ、当該ガラス基板の端部表面に付着する不要物を除去することを特徴とするガラス基板の端面処理方法。
【発明の詳細な説明】
【技術分野】
【０００１】
本発明は、ガラス基板の端面を処理するガラス基板の端面処理方法及びその装置に関する。
【背景技術】
【０００２】
従来からガラス基板の端面を鏡面に研磨するガラス基板の鏡面研磨方法が知られている（特許文献１参照）。
【０００３】
特許文献１に示す鏡面研磨方法は、ガラス基板の端面に研磨具を押接し、駆動モータにより当該研磨具を回転させてガラス基板を直進させながらガラス基板の端面を鏡面加工するものである。
【０００４】
一方で、タッチパネルや液晶ディスプレイやエレクトロルミネッセンスディスプレイ等のディスプレイの生産に用いられるガラス基材としてカラー液晶パネルが広く用いられている。このカラー液晶パネルは、例えば二枚のガラス板を布袋の間隔で対峙させ、その一面を、３原色の各画素層と、その境界部分にブラックマトリックス等が形成されている積層膜を有するカラーフィルタ基板としたものである。
【先行技術文献】
【特許文献】
【０００５】
【特許文献１】特開２０００−１７６８０４号公報
【発明の概要】
【発明が解決しようとする課題】
【０００６】
積層膜を有するカラーフィルタ基板における端面の面取り処理において、特に積層膜の一部が剥がれ、欠けやクラックが発生し、ガラス片や積層膜の剥離片などの不要物が基板の端面に残り後工程に影響を与え、歩留まりが低くなる等の不具合が生じるおそれがある。
【０００７】
そこで、本発明は、上記問題点に鑑みてなされたものであり、その目的の一例は、面取り処理により発生する不要物を確実に除去可能なガラス基板の端面処理方法及びその装置を提供することである。
【課題を解決するための手段】
【０００８】
上記課題を解決するために、請求項１に記載のガラス基板（２）の端面処理装置（１０）は、ガラス基板の端面を面取り加工する面取り装置（１５）を備えたガラス基板の端面処理装置において、前記ガラス基板の端面を面取り加工した後、前記面取り加工によって当該ガラス基板の端部表面に付着する不要物（３１）を除去する不要物除去装置（２０）を具備することを特徴とする。
【０００９】
また、請求項２に記載のガラス基板（２）の端面処理装置（１０）は、請求項１に記載のガラス基板の端面処理装置において、前記不要物除去装置は、周囲に研磨用の部材（２２ｂ）を有する回転体（２２ａ）と、当該回転体を回転駆動する駆動部（Ｍ）と、を備え、前記ガラス基板の端部表面に前記研磨用の部材を接触させることを特徴とする。
【００１０】
また、請求項３に記載のガラス基板の端面処理方法は、ガラス基板の端面を面取り加工した後に、当該面取り加工されたガラス基板の端部表面に研磨体を接触させ、当該ガラス基板の端部表面に付着する不要物を除去することを特徴とする。
【発明の効果】
【００１１】
本発明におけるガラス基板の端面処理方法等によれば、面取り処理にて発生する不要物を確実に除去できるので、この不要物の発生に起因する歩留まりの低下を未然に防止できる。
【図面の簡単な説明】
【００１２】
【図１】ガラス基板の端面処理装置を示し、図１（ａ）は平面から視認した模式図、図１（ｂ）は正面から視認した模式図、図１（ｃ）左側面から視認した模式図である。
【図２】面取り装置の動作を説明するための模式図である。
【図３】不要物除去装置の動作を説明するための模式図である。
【発明を実施するための形態】
【００１３】
以下、図面を参照して本発明の実施形態について説明する。
【００１４】
本実施形態のガラス基板の端面処理方法において好適に用いられるガラス基板２は、液晶ディスプレイやエレクトロルミネッセンスディスプレイ等のディスプレイの生産に用いられるカラーフィルタである。このようなカラーフィルタは、ガラス基板上にブラックマトリックスと、赤、緑、青の各色の画素層とが形成されている積層膜３を有している。
【００１５】
そして、当該カラーフィルタの面取り処理では、この積層膜３の一部が剥がれたり、クラックが発生したりすることで生じる微小なガラス片や積層膜の剥離片等の不要物３１がカラーフィルタの端面に付着する。そして、このような不要物３１が端面に付着すると、液晶の組立工程等において不具合が発生し、歩留まりが低下する要因となる。
【００１６】
本発明では、上述したような歩留まりを未然に防止すべくなされた発明であって、具体的に本実施形態におけるガラス基板の端面処理方法は、図１乃至図３に示すように、ガラス基板の端面処理装置１０を用いて、ガラス基板２の端面を面取り加工した直後に、当該面取り加工によってガラス基板２の端部表面に残留する不要物３１を除去するものである。なお、このガラス基板２の端面を面取り加工する手法は、従来から公知であるため、詳細な説明は省略するものとする。
【００１７】
このガラス基板の端面処理装置１０は、図１に示すように、ガラス基板２が載置され、駆動部Ｍによって水平方向に移動可能な基台１２と、この基台１２の両側に配置されたガラス基板２の両側端面（以下、「端面２ａ」と称する。）を面取り加工する面取り装置１５と、この面取り装置１５の下流側近傍に配置され、当該ガラス基板２の端面２ａが面取り加工された直後に前記ガラス基板２の端部表面と擦動させ、当該ガラス基板２の端部表面を研磨しつつ、その端部表面に残留する不要物を除去する不要物除去装置２０と、を備える。
【００１８】
面取り装置１５は、ガラス基材２の両側に配置され、モータ等の駆動部Ｍに連結される軸体１６と、この軸体１６の先端部周囲に取り付けられる平面視円形状の砥石体１７と、を備え、当該駆動部Ｍの回転駆動により、砥石体１７が回転し、当該砥石体１７が移動するガラス基板２の端面２ａ隅部と接触することでガラス基板２の端面２ａが面取り加工される。
【００１９】
図２に示すように、この砥石体１７は、その外周端面が内側に凹んで形成される凹部１８を有しており、この凹部１８の形状は、上下が外周方向に広がるようにしてテーパ面１８ａを有し、断面が略横Ｖ字状に形成されている。このテーパ面１８ａがガラス基板２の端面２ａの上下隅部２ｂと接触することでガラス基板２の端面２ａが面取りされる。
【００２０】
不要物除去装置２０は、モータ等の駆動部Ｍに連結される軸体２１と、この軸体２１の先端部周囲に取り付けられる円筒状の研磨体２２と、を備え、図３に示すように、駆動部Ｍの回転駆動により、研磨体２２が回転し、当該研磨体２２が移動するガラス基板２の端部表面と接触することでガラス基板２の端部表面を研磨しつつ、その端部表面に残留する不要物３１が研磨体２２の表面に吸着、若しくは外部に落とされ、当該ガラス基板２の端部表面から当該不要物３１が除去される。
【００２１】
なお、この研磨体２２の一例としては、円筒体２２ａ（本願の回転体）の表面に研磨用の部材２２ｂが取り付けられたものであって、例えば、円筒体の表面に複数のブラシや、研磨布紙、ラビング布等を巻きつけたものである。
【００２２】
このように構成されたガラス基板の端面処理装置１０は、ガラス基板２を図示しない駆動部によって面取り装置１５及び不要物除去装置２０側に移動させ、当該ガラス基板２の端面２ａの隅部を駆動部Ｍにより回転する砥石体１７に接触させるとともに、その直後に、駆動部Ｍにより回転する研磨体２２にガラス基板２の端部表面と接触させる。
【００２３】
これにより、砥石体１７による切削によりガラス基材２の端面２ａが面取り加工された後に当該ガラス基板２の端部表面に残留（付着）する不要物３１が研磨体２２により除去されるので、この不要物３１がガラス基板２上に残留することに起因する歩留まりの低下を未然に防止することができる。
【００２４】
以上に説明したように、本実施形態のガラス基板の端面処理方法によれば、既存に設置されている面取り装置１５の直後に不要物除去装置２０を追加設置することで、簡単な設備投資で、カラーフィルタを用いたガラス基板２の面取り加工にて発生する不要物３１を簡単に除去できるとともに、この不要物３１がガラス基板２上に残留することで起因する歩留まりの低下を簡単且つ安価に未然に防止することができる。
【００２５】
なお、本発明は上記実施の形態に限定されるものではなく、本発明の要旨の範囲内で種々変更可能である。例えば、本実施形態で示す砥石体１７や研磨体２２は、本来の役割（切削、研磨）を果たせば、どのような形態でも良く、従来から周知の技術を適用することが可能である。
【符号の説明】
【００２６】
２        ガラス基板
１０        ガラス基板の端面処理装置
１５        面取り装置
２０        不要物除去装置
３１        不要物
【図１】
2014069248.tif 000003
【図２】
2014069248.tif 000004
【図３】
2014069248.tif 000005